【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
被写体の像を形成する光学系を通過した光が入射するレンズと、前記レンズの第１の領域を通過した光を受光し第１信号を出力する第１受光部と、前記レンズの第２の領域を通過した光を受光し第２信号を出力する第２受光部とを備える画素を複数有する撮像素子と、
複数の前記画素から出力された、複数の前記第１信号と複数の前記第２信号とのずれ量を算出する算出部と、
前記算出部で算出された前記ずれ量に基づいて、複数の前記第１信号及び複数の前記第２信号から選択した一対の前記第１信号及び前記第２信号を合成した信号を基に、前記被写体の像の画像を生成する画像生成部と、
を有する撮像装置。
【請求項２】
請求項１に記載の撮像装置において、
前記撮像素子が有する複数の前記画素は、第１色の光を受光する複数の第１画素と、第２色の光を受光する複数の第２画素とを含み、
前記算出部は、前記第１画素から出力された前記第１信号及び前記第２信号に基づいて前記第１色の光に関する第１ずれ量を算出し、前記第２画素から出力された前記第１信号及び前記第２信号に基づいて前記第２色の光に関する第２ずれ量を算出し、
前記画像生成部は、前記第１ずれ量に基づいて選択した、一対の前記第１色の光に基づく前記第１信号及び前記第２信号を合成した信号と、前記第２ずれ量に基づいて選択した、一対の前記第２色の光に基づく前記第１信号及び前記第２信号を合成した信号と、を基に前記被写体の像の画像を生成する撮像装置。
【請求項３】
請求項２に記載の撮像装置において、
前記算出部で算出された前記第１ずれ量に基づいて、前記光学系が有する焦点調節レンズの駆動を制御する制御部を有する撮像装置。
【請求項４】
請求項１に記載の撮像装置において、
前記撮像素子が有する複数の前記画素は、第１色の光を受光する複数の第１画素と、第２色の光を受光する複数の第２画素とを含み、
前記算出部は、前記第１画素から出力された前記第１信号及び前記第２信号に基づいて前記第１色の光に基づく第１ずれ量を算出し、前記第２画素から出力された前記第１信号及び前記第２信号に基づいて前記第２色の光に基づく第２ずれ量を算出し、
前記算出部で算出された前記第１ずれ量に基づいて、前記光学系が有する焦点調節レンズの駆動を制御する制御部を有し、
１つの前記第１画素から出力された一対の前記第１色の光に基づく前記第１信号及び前記第２信号を合成した信号と、前記算出部で算出した前記第２ずれ量に基づいて選択した、互いに異なる前記第２画素から出力された一対の前記第２色の光に基づく前記第１信号と前記第２信号とを合成した信号に基づいて、前記被写体の像の画像を生成する撮像装置。
【請求項５】
レンズの第１の領域を通過した光が第１受光部で受光され出力された第１信号と、前記レンズの第２の領域を通過した光が第２受光部で受光され出力された第２信号とを読込む読込ステップと、
前記読込ステップで読込まれた、複数の前記第１信号と複数の前記第２信号とのずれ量を算出する算出ステップと、
前記算出ステップで算出された前記ずれ量に基づいて、複数の前記第１信号及び複数の前記第２信号から選択された一対の前記第１信号及び前記第２信号を合成した信号に基づいて、被写体の像の画像を生成する画像生成ステップと、
をプロセッサに実行させるプログラム。
【請求項６】
請求項５に記載のプログラムにおいて、
前記読込ステップは、第１色の光に関する前記第１信号及び第２信号と、第２色に関する第１信号及び第２信号とを読み込み、
前記算出ステップは、前記第１色に関する前記第１信号及び前記第２信号に基づいて前記第１色の光に関する第１ずれ量を算出し、前記第２色に関する前記第１信号及び前記第２信号に基づいて前記第２色に関する第２ずれ量を算出し、
前記画像生成ステップは、前記算出ステップで算出した前記第１ずれ量に基づいて選択した、前記第１色の光に関する一対の前記第１信号及び前記第２信号を合成した信号と、前記算出ステップで算出した前記第２ずれ量に基づいて選択した、前記第２色の光に関する一対の前記第１信号及び前記第２信号を合成した信号と、に基づいて前記被写体の像の画像を生成するプログラム。
【請求項７】
被写体の像を形成する光学系を通過した光が入射する第１レンズと前記第１レンズに入射して透過した光を受光し第１信号を出力する第１受光部と前記第１レンズに入射して透過した光を受光し第２信号を出力する第２受光部とを有する第１画素と、前記光学系を通過した光が入射する第２レンズと前記第２レンズに入射して透過した光を受光し第３信号を出力する第３受光部と前記第２レンズに入射して透過した光を受光し第４信号を出力する第４受光部とを有する第２画素と、を有する撮像素子と、
前記第１信号と前記第３信号とから生成した第５信号に基づいて前記被写体を撮像した画像を生成する画像生成部と、
を有する撮像装置。
【手続補正２】
【補正対象書類名】明細書
【補正対象項目名】発明の名称
【補正方法】変更
【補正の内容】
【発明の名称】撮像装置、及び、プログラム
【手続補正３】
【補正対象書類名】明細書
【補正対象項目名】０００１
【補正方法】変更
【補正の内容】
【０００１】
本発明は、撮像装置、及び、プログラムに関する。
【手続補正４】
【補正対象書類名】明細書
【補正対象項目名】０００４
【補正方法】変更
【補正の内容】
【０００４】
第１の態様によると、撮像装置は、被写体の像を形成する光学系を通過した光が入射するレンズと、前記レンズの第１の領域を通過した光を受光し第１信号を出力する第１受光部と、前記レンズの第２の領域を通過した光を受光し第２信号を出力する第２受光部とを備える画素を複数有する撮像素子と、複数の前記画素から出力された、複数の前記第１信号と複数の前記第２信号とのずれ量を算出する算出部と、前記算出部で算出された前記ずれ量に基づいて、複数の前記第１信号及び複数の前記第２信号から選択した一対の前記第１信号及び前記第２信号を合成した信号を基に、前記被写体の像の画像を生成する画像生成部と、を有する。
第２の態様によると、プログラムは、レンズの第１の領域を通過した光が第１受光部で受光され出力された第１信号と、前記レンズの第２の領域を通過した光が第２受光部で受光され出力された第２信号とを読込む読込ステップと、前記読込ステップで読込まれた、複数の前記第１信号と複数の前記第２信号とのずれ量を算出する算出ステップと、前記算出ステップで算出された前記ずれ量に基づいて、複数の前記第１信号及び複数の前記第２信号から選択された一対の前記第１信号及び前記第２信号を合成した信号に基づいて、被写体の像の画像を生成する画像生成ステップと、をプロセッサに実行させる。
第３の態様によると、撮像装置は、被写体の像を形成する光学系を通過した光が入射する第１レンズと前記第１レンズに入射して透過した光を受光し第１信号を出力する第１受光部と前記第１レンズに入射して透過した光を受光し第２信号を出力する第２受光部とを有する第１画素と、前記光学系を通過した光が入射する第２レンズと前記第２レンズに入射して透過した光を受光し第３信号を出力する第３受光部と前記第２レンズに入射して透過した光を受光し第４信号を出力する第４受光部とを有する第２画素と、を有する撮像素子と、前記第１信号と前記第３信号とから生成した第５信号に基づいて前記被写体を撮像した画像を生成する画像生成部と、を有する。